(57)【要約】【課題】焦点が急激に変化しないコンタクトレンズを提供する。【解決手段】使用者の目表面において、光を受容できる領域を覆う中央光学ゾーン１１と、中央光学ゾーン１１の周辺にあって、使用者の目表面において光を受容できない領域を覆う周辺ゾーン１２と、からなるコンタクトレンズであって、中央光学ゾーン１１は、曲面となっていて、内から外へ連続に変化している屈折度数がある上、前記曲面の面心Ａを円心として、半径が２．５ｍｍ以下の範囲内の内曲面であって、該内曲面における屈折度数が内から外へ０．２５Ｄ／ｍｍ以下の平均変化率で分布している第１の光学ゾーン１１１と、第１の光学ゾーン１１１と周辺ゾーン１２との間の過渡面であって、該過渡面における屈折度数が内から外へ０．２５Ｄ／ｍｍ以上の平均変化率で分布している第２の光学ゾーン１１２と、からなっている。【選択図】図６
2017219835.tif 000002
【特許請求の範囲】
【請求項１】
使用者の目の表面において、光を受容できる領域を覆う中央光学ゾーンと、前記中央光学ゾーンの周辺にあって、使用者の目の表面において光を受容できない領域を覆う周辺ゾーンと、からなるコンタクトレンズであって、
前記中央光学ゾーンは、曲面となっていて、内から外へ連続して変化している屈折度数があると共に、
前記曲面の面心を円心として、半径が２．５ｍｍ以下の範囲内の内曲面であって、該内曲面における屈折度数が内から外へ０．２５Ｄ／ｍｍ以下の平均変化率で分布している第１の光学ゾーンと、
前記第１の光学ゾーンと前記周辺ゾーンとの間の過渡面であって、該過渡面における屈折度数が内から外へ０．２５Ｄ／ｍｍ以上の平均変化率で分布している第２の光学ゾーンと、
からなっていることを特徴とするコンタクトレンズ。
【請求項２】
前記中央光学ゾーンの屈折度数は、前記中央光学ゾーンの前記面心から外へ連続して変化していることを特徴とする請求項１に記載のコンタクトレンズ。
【請求項３】
前記第２の光学ゾーンは、屈折度数が前記第１の光学ゾーンとの境界から外へ連続して大きくなるように変化していて、且つ、前記第２の光学ゾーンの周縁における屈折度数と前記面心の屈折度数との差が１．５Ｄ以下になるように形成されていることを特徴とする請求項１または請求項２に記載のコンタクトレンズ。
【請求項４】
前記第２の光学ゾーンの屈折度数は、平均変化率が０．７５Ｄ／ｍｍを超えるように前記第１の光学ゾーンとの境界から外へ連続して大きくなるように変化していることを特徴とする請求項１〜請求項３のいずれか一項に記載のコンタクトレンズ。
【請求項５】
前記第１の光学ゾーンは、負の屈折度数から変化するように形成されていることを特徴とする請求項１〜請求項４のいずれか一項に記載のコンタクトレンズ。
【請求項６】
前記第１の光学ゾーンは、ベースカーブの曲率半径が８．０ｍｍ〜９．０ｍｍの範囲内、且つ、円錐係数が０を超えるように形成されていることを特徴とする請求項１〜請求項５のいずれか一項に記載のコンタクトレンズ。
【請求項７】
前記第２の光学ゾーンは、前記面心を円心として、半径が０．５ｍｍ〜４．０ｍｍの範囲内にあることを特徴とする請求項1〜請求項６のいずれか一項に記載のコンタクトレンズ。
【発明の詳細な説明】
【技術分野】
【０００１】
本発明はコンタクトレンズに関し、具体的には多焦点コンタクトレンズに関する。
【背景技術】
【０００２】
現代社会には、目の屈折異常による視力問題、例えば近視などの視力問題を抱えている人が多数いる。目の屈折異常による視力問題を解消するために、一般的に、屈折度数を有するメガネやコンタクトレンズを装着することにより目の屈折異常を矯正する。
【０００３】
近視者は、図１に示されるように、遠方の景色が屈折されて目９の網膜９１の前で像が結んでいるので、網膜９１に鮮明な像が形成できない。そして、近眼用コンタクトレンズを装着して矯正すると、図２に示されるように、遠方の景色が屈折されて網膜９１に像を結ぶことができるので、網膜９１に鮮明な像が形成できる。
【０００４】
近視用コンタクトレンズは、例えば、近視の使用者が１．０の視力に矯正され５ｍ先のものでも明晰に見えるように矯正できる屈折度数を有する単焦点コンタクトレンズである。
【０００５】
人の目９の網膜の中心部には、黄色を呈した部位である黄斑がある。黄斑の中心に約直径０．２ｍｍ中心窩がある。この部位は、視力が最も鋭い場所である。黄斑の周辺は、視力の感度が徐々に低下し、視軸から５度の角度が離れると、感度が黄斑の中心窩の１／３になる。
【０００６】
目９の角膜は、中央部分だけが球面、他の部分は非球面ので、単焦点コンタクトレンズを使用する際、遠方の景色を見ると、毛様体筋９２が弛緩のままに、遠方の景色が屈折されて黄斑の中心窩に像が結ぶ。しかし、一般的に、使用者は長時間に亘り単焦点コンタクトレンズを装着するが、携帯、パソコンのモニター、本などの近距離で見るものを見る時間が多い、その時、該コンタクトレンズの屈折により、網膜９１の黄斑の中心窩の後ろに像が結ぶので、焦点が遠視的にぼける（Ｈｙｐｅｒｏｐｉａ Ｄｅｆｏｃｕｓ）ことが生じ、その時、結んでいる像を網膜９１に合わせるために、毛様体筋９２が収縮して水晶体９３を凸状となる。毛様体筋９２が長時間に亘り収縮状態に維持すると、毛様体筋９２が緊張により一時的に元に戻らなくなり、仮性近視になり易い。
【０００７】
また、長時間に亘り近距離のものを見ると、毛様体筋９２が収縮しているので近距離のものが鮮明に見えるが、網膜の周辺部分で結ぶ像も網膜の後ろに結ばれるので、網膜の周辺部分で結ぶ像を網膜９１に合わせるため、毛様体筋９２が更に収縮するので、毛様体筋９２の負担が一層に大きくなる。
【０００８】
このように、長時間に亘り収縮状態を維持すると、目の眼軸が延長され、軸性近視となり易く、近視の度合いがより増してしまう欠点がある。
【０００９】
また、上記コンタクトレンズの欠点を解消するために、図３及び図４に示されるように、互いに焦点が異なる複数の光学ゾーン７１、７２を有する多焦点コンタクトレンズが開発された。しかし、異なる光学ゾーン７１、７２を切り替える際に、屈折度数が急激に変化するので、使用者の目がすぐ適応できずに、見える影像がぼける、ズレまたは分光現象が生じ、コントラスト感度が低下するなどの欠点があり、長時間に亘り装着するとめまいなど症状も出る場合も有る。
【００１０】
なお、コンタクトレンズ内に補助材料を入れて、屈折度数を変化させるコンタクトレンズも開発されており、例えば、特許文献１〜３には、電気で材料の特性を変化させるコンタクトレンズの屈折度数を変化するコンタクトレンズが記載されている。しかし、該等コンタクトレンズは、全体の屈折度数を変化させるもので、上記の単焦点のコンタクトレンズが持っている欠点を有する。また、焦点を変化させるために特定の設備が必要とされるので、利便性が低く、且つ、コストが高いなど欠点を有する。
【先行技術文献】
【特許文献】
【００１１】
【特許文献１】台湾特許公開第２０１４０３１３８号明細書
【特許文献２】台湾特許公開第２０１５３１２８７号明細書
【特許文献３】台湾特許公開第２０１２３４０７２号明細書
【発明の概要】
【発明が解決しようとする課題】
【００１２】
上記問題点に鑑みて、本発明は、焦点が急激に変化しないコンタクトレンズを提供することを目的とする。
【課題を解決するための手段】
【００１３】
上記目的を達成すべく、本発明は、使用者の目表面において、光を受容できる領域を覆う中央光学ゾーンと、前記中央光学ゾーンの周辺にあって、使用者の目表面において光を受容できない領域を覆う周辺ゾーンと、からなるコンタクトレンズであって、前記中央光学ゾーンは、曲面となっていて、内から外へ連続して変化している屈折度数があると共に、前記曲面の面心を円心として、半径が２．５ｍｍ以下の範囲内の内曲面であって、該内曲面における屈折度数が内から外へ０．２５Ｄ／ｍｍ以下の平均変化率で分布している第１の光学ゾーンと、前記第１の光学ゾーンと前記周辺ゾーンとの間の過渡面であって、該過渡面における屈折度数が内から外へ０．２５Ｄ／ｍｍ以上の平均変化率で分布している第２の光学ゾーンと、からなっていることを特徴とするコンタクトレンズを提供する。
【発明の効果】
【００１４】
上記構成により、本発明のコンタクトレンズは、内から外へ連続的に変化している屈折度数があるので、屈折度数が急激に変化しなくなり、使用者が見える像がぼける、ずれる、または分光現象が生じることを防止できて、使用者がめまいなど症状を生ずることを有効に抑制できる。
【図面の簡単な説明】
【００１５】
【図１】近視者の目における光の屈折状態を示す断面図である。
【図２】コンタクトレンズにより矯正された近視者の目における光の屈折状態を示す断面図である。
【図３】従来の多焦点コンタクトレンズを示す正面図である。
【図４】従来の多焦点コンタクトレンズにより矯正された近視者の目における光の屈折状態を示す断面図である。
【図５】本発明のコンタクトレンズを示す正面図である。
【図６】上記コンタクトレンズにより矯正された近視者の目における光の屈折状態を示す断面図である。
【図７】本発明の第１の実施形態のコンタクトレンズにおける屈折度数を示すグラフである。
【図８】本発明の第２の実施形態のコンタクトレンズにおける屈折度数を示すグラフである。
【図９】本発明の第３の実施形態のコンタクトレンズにおける屈折度数を示すグラフである。
【発明を実施するための形態】
【００１６】
以下、図５及び図６を参照しながら、本発明のコンタクトレンズ１について詳しく説明する。
【００１７】
図５は本発明のコンタクトレンズ１を示す正面図である。図６は上記コンタクトレンズにより矯正された近視者の目における光の屈折状態を示す断面図である。
【００１８】
本発明のコンタクトレンズ１は、図５に示されるように、使用者の目の表面において、光を受容できる領域を覆う中央光学ゾーン１１と、中央光学ゾーン１１の周辺にあって、使用者の目の表面において光を受容できない領域を覆う周辺ゾーン１２と、からなる。
【００１９】
中央光学ゾーン１１は、曲面となっていて、内から外へ連続して変化している屈折度数があると共に、第１の光学ゾーン１１１と、第２の光学ゾーン１１２と、からなっている。
【００２０】
そして、曲面である中央光学ゾーン１１の面心Ａの接線方向と直交するように面心Ａを通過する光軸Ｌがある。
【００２１】
第１の光学ゾーン１１１は、面心Ａを円心として、半径が２．５ｍｍ以下の範囲内の内曲面、即ち、第１の光学ゾーン１１１の周縁から光軸Ｌまでの最短距離が０．５ｍｍ〜２．５ｍｍの範囲内の内曲面であって、該内曲面における屈折度数が内から外側にある周辺ゾーン１２へ０．２５Ｄ／ｍｍ以下の平均変化率で分布していると共に、ベースカーブの曲率半径が８．０ｍｍ〜９．０ｍｍの範囲内、且つ、円錐係数が０を超えるように形成されている。
【００２２】
第１の光学ゾーン１１１の屈折度数の平均変化率は、０．１２５Ｄ／ｍｍより小さい方がより好ましい。また、第１の光学ゾーン１１１の屈折度数は、連続して大きくなるように形成されることが好ましい。
【００２３】
第１の光学ゾーン１１１の変化開始の屈折度数は、使用者の屈折異常の程度に合わせて設計されるものであって、例えば近視の使用者が遠方の景色を見る際に、該景色の像が黄斑の中心窩９１１に結ぶことができるように設計されている。
【００２４】
第２の光学ゾーン１１２は、第１の光学ゾーン１１１と周辺ゾーン１２との間の過渡面であって、該過渡面における屈折度数が第１の光学ゾーン１１１との境界から外側にある周辺ゾーン１２へ連続して大きくなるように、０．２５Ｄ／ｍｍ以上の平均変化率で分布していて、且つ、第２の光学ゾーン１１２の周縁における屈折度数と面心Ａの屈折度数との差が１．５Ｄ以下になるように形成されている。また、平均変化率が０．７５Ｄ／ｍｍを超えるように変化することもできる。
【００２５】
第２の光学ゾーン１１２の屈折度数の平均変化率は、０．５Ｄ／ｍｍを超えることがより好ましい。
【００２６】
第２の光学ゾーン１１２は、面心Ａを円心として、半径が０．５ｍｍ〜４．０ｍｍの範囲内にあることが好ましく、２．５ｍｍ〜３．５ｍｍの範囲内にあることがより好ましく、即ち、第２の光学ゾーン１１２の周縁から光軸Ｌまでの最短距離が０．５ｍｍ〜４．０ｍｍの範囲内にあることが好ましく、２．５ｍｍ〜３．５ｍｍの範囲内にあることがより好ましい。
【００２７】
また、第２の光学ゾーン１１２の範囲は、面心Ａを円心として、半径が４．０ｍｍを超える範囲にあることができるが、一般の人の目の可視範囲は４．０ｍｍ以下なので、可視範囲外のコンタクトレンズを屈折度数を持たせると、不必要な加工コストが増える欠点がある。
【００２８】
第１の光学ゾーン１１１の屈折度数の平均変化率は０．２５Ｄ／ｍｍ以下であれば、第１の光学ゾーン１１１の屈折度数は次第に大きくなるように形成されることには限られず、一度小さくなってから再び大きくなるように形成されることもできる。第２の光学ゾーン１１２も同じく、屈折度数の平均変化率は所定の範囲内であれば、屈折度数は大きくなるように形成されることに限られず、小さくなってから大きくなるように形成されることもできる。
【００２９】
周辺ゾーン１２は、目に装着する面積を増やすために構成されたもので、安定して目の角膜に張り付くことができるように形成され、屈折度数を有しないように形成されることもできる。
【００３０】
周辺ゾーン１２は、第２の光学ゾーン１１２の周縁から延伸し、周辺ゾーン１２の周縁から光軸Ｌまでの距離は、８．０ｍｍ以下にある。
【００３１】
本発明のコンタクトレンズ１において、第１の光学ゾーン１１１の屈折度数の増加率は、第２の光学ゾーン１１２の屈折度数の増加率より小さいことが好ましい。また、中央光学ゾーン１１の屈折度数は、中央光学ゾーン１１の面心Ａから外側にある周辺ゾーン１２へ連続して変化していることが好ましい。
【００３２】
本発明のコンタクトレンズ１の製造方法として、輪郭成形（Ｃｏｎｔｏｕｒ ｆｏｒｍｉｎｇ)）、スピンキャスト（Ｓｐｉｎｃａｓｔｉｎｇ）、旋削加工などが挙げられる。
【００３３】
本発明のコンタクトレンズ１の材料として、例えば、２−ヒドロキシエチルメタクリラート（２−Ｈｙｄｒｏｘｙｅｔｈｙｌ ｍｅｔｈａｃｒｙｌａｔｅ、ＨＥＭＡ）とメタクリル酸（Ｍｅｔｈａｃｒｙｌｉｃ ａｃｉｄ、ＭＡＡ）との共重合体、ヒドロゲル（Ｈｙｄｒｏｇｅｌ）、シリコーンヒドロゲル（Ｓｉｌｉｃｏｎｅ ｈｙｄｒｏｇｅｌ）、ハード酸素透過性シリコンフルオロポリマーなどが挙げられる。
【００３４】
中央光学ゾーン１１の屈折度数は徐々に大きくように形成されていることで、第２の光学ゾーン１１２の屈折度数は第１の光学ゾーン１１１の屈折度数より大きく、且つ、第２の光学ゾーン１１２の屈折度数の平均変化率は第１の光学ゾーン１１１の屈折度数の平均変化率より大きいことにより、例えば、近視の使用者が本発明のコンタクトレンズ１を使用する際、図６に示されるように、遠方の景色を見ると、遠方の景色が第１の光学ゾーン１１１を通過して遠方の景色の像が黄斑の中心窩９１１に結ぶので、目９の毛様体筋９２が弛緩のままで、仮性近視にならなく、そして、長時間に亘り近距離のものを見ると、第２の光学ゾーン１１２を通過して網膜９１の周辺部分９１２に結ぶ像が網膜の前で結ばれるので、焦点が近視的にぼける（Ｍｙｏｐｉａ Ｄｅｆｏｃｕｓ）ことが生じて、毛様体筋９２が収縮せず、弛緩になって、長時間に亘り収縮状態を維持しなくなるので、目の眼軸が延長することにより軸性近視になる恐れを解消できる。
【００３５】
また、中央光学ゾーン１１の屈折度数は連続して変化しているので、屈折度数が急激に変化せず、屈折度数が急激に変化することにより使用者が見える像がぼける、ずれる、または分光現象が生じることを防止できて、使用者がめまいなど症状を生ずることを有効に抑制できる。
【００３６】
＜第１の実施形態＞
図７は本発明の第１の実施形態のコンタクトレンズにおける屈折度数を示すグラフである。
【００３７】
本発明のコンタクトレンズ１の第１の実施形態は、ＵＶ光でＨＥＭＡヒドロゲルを照射することにより重合された後、スピンキャストにより製造されたものである。
【００３８】
そして、図５、図６及び図７に示されるように、第１の光学ゾーン１１１は、面心Ａを円心として、半径が１．５ｍｍ以下の範囲内にあって、変化開始の屈折度数が−３．０Ｄであり、屈折度数の平均変化率が＋０．１２５Ｄ／ｍｍにし、ベースカーブの曲率半径が８．６ｍｍの範囲内にし、円錐係数（Ｋ）が０.３にし、且つ、面心Ａの厚さが０．０８ｍｍにするように形成された。
【００３９】
第２の光学ゾーン１１２は、面心Ａを円心として、半径が１．５ｍｍ〜３．０ｍｍ以下の範囲内にああって、屈折度数の平均変化率が＋０．８２５Ｄ／ｍｍにし、半径３．０ｍｍにある周辺の屈折度数が−１．５Ｄにするように形成された。
【００４０】
周辺ゾーン１２は、面心Ａを円心として、半径が３．０ｍｍ〜７．１ｍｍ以下の範囲内にある。
【００４１】
この構成によれば、屈折度数が連続して変化している非球面の中央光学ゾーン１１を有するので、上記の本発明のコンタクトレンズの利点を有して、従来の球面コンタクトレンズによる長時間に亘り近い景色を見ると、目が疲れやすい問題を解消できる。
【００４２】
第２の光学ゾーン１１２の周縁における屈折度数と面心Ａの屈折度数との差が１．５Ｄ以下になるように形成されていると、近距離のものを見る際に、網膜９１の周辺部分９１２に結ぶ像も十分に鮮明なので、毛様体筋９２が更に収縮する必要もなくなる、目の負担が軽くなる。
【００４３】
なお、第２の光学ゾーン１１２において、半径３．０ｍｍにある周辺の屈折度数が−１．５Ｄより大きくすると、焦点が過度に近視的にぼけるので、網膜９１の周辺部分９１２に結ぶ像が過度にぼける欠点がある。従って、第２の光学ゾーン１１２の周縁における屈折度数と面心Ａの屈折度数との差が１．５Ｄ以下になるように形成されることにより、網膜９１の周辺部分９１２に結ぶ像が良好な鮮明さを有しながら、毛様体筋９２が従来より弛緩でき、軸性近視になりにくい。
【００４４】
＜第２の実施形態＞
本発明のコンタクトレンズの第２の実施形態は、上記第１の実施形態とほぼ同じ構成を有するので、ここでは詳しい説明を省略し、その相違点のみを説明する。
【００４５】
図８は本発明の第２の実施形態のコンタクトレンズにおける屈折度数を示すグラフである。
【００４６】
本発明のコンタクトレンズ１の第２の実施形態は、ＵＶ光でシリコーンヒドロゲルを照射することにより重合された後、輪郭成形により製造されたものである。
【００４７】
そして、図５、図６及び図８に示されるように、第１の光学ゾーン１１１は、面心Ａを円心として、半径が１．０ｍｍ以下の範囲内にあって、変化開始の屈折度数が−３.０Ｄであり、屈折度数の平均変化率を＋０．１２５Ｄ／ｍｍにし、ベースカーブの曲率半径を８．５ｍｍの範囲内にし、且つ、円錐係数（Ｋ）を０.８にするように形成された。
【００４８】
第２の光学ゾーン１１２は、面心Ａを円心として、半径が１．０ｍｍ〜３．０ｍｍ以下の範囲内にああって、屈折度数の平均変化率を＋１．５Ｄ／ｍｍにし、半径３．０ｍｍにある周辺の屈折度数を＋０．１２５Ｄにするように形成された。
【００４９】
周辺ゾーン１２は、面心Ａを円心として、半径が３．０ｍｍ〜７．０ｍｍ以下の範囲内にある。
【００５０】
児童の目は最初は遠視の目であり、そして成長期中に眼軸が徐々に長くなって、正視の目（大人の目）になるので、成長期の児童の近視を単焦点コンタクトレンズで矯正すると、上記のように眼軸が更に延長され、近視の度合いがより増していく欠点がある。
【００５１】
この構成によれば、第２の光学ゾーン１１２の屈折度数の平均変化率が０．７５Ｄ／ｍｍより大きく、網膜９１の周辺部分９１２に結ぶ像が網膜の前に結ぶので、焦点が近視的にぼけることが生じて、毛様体筋９２を弛緩でき、児童の近視進行の抑制効果がある。
【００５２】
＜第３の実施形態＞
本発明のコンタクトレンズの第３の実施形態は、上記第１の実施形態とほぼ同じ構成を有するので、ここでは詳しい説明を省略し、その相違点のみを説明する。
【００５３】
図９は本発明の第３の実施形態のコンタクトレンズにおける屈折度数を示すグラフである。
【００５４】
本発明のコンタクトレンズ１の第３の実施形態は、ＵＶ光でヒドロゲルを照射することにより重合された後、輪郭成形により製造されたものである。
【００５５】
そして、図５、図６及び図９に示されるように、第１の光学ゾーン１１１は、面心Ａを円心として、半径が１．０ｍｍ以下の範囲内にあって、変化開始の屈折度数が０Ｄであり、屈折度数の平均変化率が＋０．２５Ｄ／ｍｍとなるように形成された。
【００５６】
第２の光学ゾーン１１２は、面心Ａを円心として、半径が１．０ｍｍ〜３．０ｍｍ以下の範囲内にああって、屈折度数の平均変化率を＋１．０Ｄ／ｍｍにし、半径３．０ｍｍにある周辺の屈折度数を＋２．２５Ｄにするように形成された。
【００５７】
周辺ゾーン１２は、面心Ａを円心として、半径が３．０ｍｍ〜７．０ｍｍ以下の範囲内にある。
【００５８】
この実施形態のコンタクトレンズ1は、老眼に適した構成を有する。第１の光学ゾーン１１１は、老眼の使用者の正視または近視の度合いに合わせて、０または負の屈折度数から変化するように形成されて、使用者が第１の光学ゾーン１１１を通して遠距離の景色を鮮明に見える。
【００５９】
第２の光学ゾーン１１２の屈折度数は、徐々に老眼の遠視の度合いに合わせて増えているので、使用者が第２の光学ゾーン１１２を通して、中、近距離の景色を鮮明に見える。
【産業上の利用可能性】
【００６０】
本発明のコンタクトレンズは、複数の焦点を有するので、屈折異常による視力問題の矯正に使用することに好適である。
【符号の説明】
【００６１】
１  コンタクトレンズ
１１  中央光学ゾーン
１２  周辺ゾーン
１１１  第１の光学ゾーン
１１２  第２の光学ゾーン
９  目
９１  網膜
９１１  中心窩
９１２  周辺部分
９２  毛様体筋
９３  水晶体
Ａ  面心
Ｌ  光軸
【図１】
2017219835.tif 000003
【図２】
2017219835.tif 000004
【図３】
2017219835.tif 000005
【図４】
2017219835.tif 000006
【図５】
2017219835.tif 000007
【図６】
2017219835.tif 000008
【図７】
2017219835.tif 000009
【図８】
2017219835.tif 000010
【図９】
2017219835.tif 000011